(57)【要約】【課題】  エアゾール薬剤の無駄を減らすことができると共に、害虫防除効率を向上することができる害虫防除方法を提供する。【解決手段】  予め設定された定量を勢いよく噴霧できる機能を有するエアゾール製品の内容物の噴霧状態下で、害虫を防除する。【選択図】  なし【特許請求の範囲】
【請求項１】
予め設定された定量を勢いよく噴霧できる機能を有するエアゾール製品の内容物の噴霧状態下で、害虫を防除することを特徴とする害虫防除方法。
【請求項２】
前記エアゾール製品は、１回の噴霧操作で定量の前記内容物を勢いよく噴霧することを特徴とする請求項１記載の害虫防除方法。
【請求項３】
前記内容物は、殺虫剤を含むことを特徴とする請求項１又は２記載の害虫防除方法。
【発明の詳細な説明】
【技術分野】
【０００１】
本発明は、害虫防除用のエアゾール製品を用いた害虫防除方法に関する。
【背景技術】
【０００２】
害虫防除用の薬剤を空間に噴射させるものとして、エアゾール製品が挙げられる。エアゾール製品は簡単に使用できるため広く知られており、その機能を高める手段について検討がなされている。例えば、エアゾール製品を使用して、内容物を大量噴射すること等が行われている（例えば、特許文献１及び特許文献２参照）。
【０００３】
【特許文献１】特開平１０−２８７５０４号公報
【特許文献２】特開平２−１７３０８４号公報
【発明の開示】
【発明が解決しようとする課題】
【０００４】
ところで、エアゾール製品の効果は、常に使用者の満足できるものとは限らず、生活環境の変化、さらには法律上の規制等によって変化している。その為に、従来よりも優れたエアゾール製品の開発が強く要望されている。
【０００５】
しかしながら、従来の害虫防除用のエアゾール製品を使用して、内容物をゴキブリ等の害虫に噴射したとしても、害虫は素早く移動してしまうため、多くの使用者は、害虫をノックダウンするまで内容物を無駄に噴射し続けることとなる。このことは、従来のエアゾール製品では、噴射ボタンを押す時間により内容物の噴射量が左右されるためと考えられる。このように、従来のエアゾール製品を使用すると、大量の内容物を無駄に使用することになる。
【０００６】
本発明は、このような不都合を解消するためになされたものであり、その目的は、内容物の無駄を減らすことができると共に、害虫防除効率を向上することができる害虫防除方法を提供することにある。
【課題を解決するための手段】
【０００７】
本発明の上記目的は、下記構成によって達成される。
（１）  予め設定された定量を勢いよく噴霧できる機能を有するエアゾール製品の内容物の噴霧状態下で、害虫を防除することを特徴とする害虫防除方法。
（２）  エアゾール製品は、１回の噴霧操作で定量の前記内容物を勢いよく噴霧することを特徴とする（１）に記載の害虫防除方法。
（３）  内容物は、殺虫剤を含むことを特徴とする（１）又は（２）に記載の害虫防除方法。
【発明の効果】
【０００８】
本発明の害虫防除方法によれば、予め設定された定量を勢いよく噴霧できる機能を有する内容物（以下、エアゾール薬剤という。）の噴霧状態下で、害虫を防除するため、エアゾール薬剤の無駄を減らすことができると共に、害虫防除効率を向上することができる。
【０００９】
また、本発明の害虫防除方法によれば、予め設定された定量のエアゾール薬剤を勢いよく噴霧できるため、害虫にエアゾール薬剤を噴霧する際に手ぶれなどで狙いを外したり、害虫が狙いをつけた位置から逃げ始めたりした場合でも、害虫を追ったり、害虫の周囲を狙ったりしながらエアゾール薬剤を連続噴霧する必要がなく、適量のエアゾール薬剤で害虫を素早く防除することができる。これにより、エアゾール薬剤の無駄を減らすことができると共に、害虫防除効率を向上することができる。
【発明を実施するための最良の形態】
【００１０】
以下、本発明に係る害虫防除方法の一実施形態を詳細に説明する。
【００１１】
本発明に係る害虫防除方法に使用するエアゾール製品は、予め設定された定量を勢いよく噴霧できる機能を有するエアゾール剤容器に、主に原液と噴射剤とからなるエアゾール薬剤を充填したものである。なお、本発明において「勢いよく」とは、噴射力を目安とするものである。
【００１２】
エアゾール剤容器は、予め設定された一定量のエアゾール薬剤を所望の空域に勢いよく噴霧するための定量噴霧機能（バルブ、操作ボタン等）を有している。この定量噴霧機能としては、本実施形態では、バルブ内に定量室を設け、ステムを押し下げると定量室と内容液とが遮断され、さらにステムを押し下げると定量室とステム孔とが開通する定量バルブを採用する。また、定量噴霧機能には、アチュエータ内に定量室を設けたアクチュエータ付きバルブ等を採用してもよい。なお、定量噴霧機能は、一回の操作で定量のエアゾール薬剤を勢いよく噴霧できる機能であれば、その方式は特に限定されない。また、定量噴霧機能の操作は、従来の上から押し込むタイプの操作ボタンでもよいが、操作性の観点から、トリガータイプの方が好ましい。
【００１３】
定量を勢いよく噴霧する時の一回の噴霧量、即ち、定量バルブの定量室の容積は、１．０〜１５．０ｍｌが好ましく、３．０〜１０．０ｍｌがより好ましい。また、噴霧距離１００ｃｍにおける平均粒子径（Ｄ５０）は、用途が空間用・塗布用により違いがあるが、５０〜１００μｍが好ましい。なお、上記数値範囲は、本発明を達成できるものであれば任意であり、特に限定されない。
【００１４】
また、定量を勢いよく噴霧する時の噴霧速度は、３．０ｍｌ／ｓ以上が好ましい。なお、上記数値範囲は、本発明を達成できるものであれば任意であり、特に限定されない。
【００１５】
さらに、定量を勢いよく噴霧する時の噴射力は、噴霧距離５ｃｍにおいて、０．２５〜１．４０Ｎが好ましく、０．５０〜１．３０Ｎがより好ましい。このため、定量バルブのステム孔は口径０．３〜３．５ｍｍ×２が好ましく、１．２〜３．５ｍｍ×２がより好ましい。また、定量バルブのハウジングのアンダータップ径は、１．５〜６．５ｍｍが好ましく、２．２〜６．５ｍｍがより好ましい。さらに、定量バルブの噴口径は、１．０〜５．０ｍｍが好ましく、１．５〜３．５ｍｍがより好ましい。なお、上記バルブの数値範囲は、本発明を達成できるものであれば任意であり、特に限定されない。また、本実施形態では、定量バルブの機構により噴霧速度及び噴射力を上記数値範囲に調節するが、これに限定されず、エアゾール剤容器の内圧により調節してもよい。  
【００１６】
エアゾール薬剤は、主に殺虫剤と溶剤とからなる原液と、原液を噴射する噴射剤と、を含有する。そして、原液と噴射剤との容量比は、５：９５〜７０：３０が好ましく、５：９５〜５０：５０がより好ましい。また、エアゾール薬剤を充填した後のエアゾール剤容器の内圧は、２０°Ｃにおいて、０.２０〜０.８０ＭＰａが好ましく、０.２５〜０.５５ＭＰａがより好ましい。なお、上記数値範囲は、本発明を達成できるものであれば任意であり、特に限定されない。また、上記にステム孔、アンダータップ径、噴口径、容積比、内圧の数値範囲を挙げたが、本発明を達成できるものであれば、その組み合わせは任意であり、特に限定されない。
【００１７】
原液の殺虫剤としては、例えば、ピレスロイド系殺虫剤、有機リン系殺虫剤、カーバメイト系殺虫剤等が挙げられる。
【００１８】
ピレスロイド系殺虫剤としては、例えば、除虫菊エキス、ピレトリン、フラメトリン、シフェノトリン、フェノトリン、ペルメトリン、レスメトリン、アレスリン、フタルスリン、エムペントリン、テフルスリン、プラレトリン、イミプロトリン、メトフルスリン、トランスフルスリン（ベンフルスリン）、これらの異性体、誘導体等が挙げられる。
【００１９】
有機リン系殺虫剤としては、例えば、フェニトロチオン、クロルピリホス、マラソン、ジクロルボス、ピリダフェンチオン、トリクロルホン等が挙げられる。
【００２０】
カーバメイト系殺虫剤としては、例えば、カルバリル、ベンフラカルブ、プロポクスル等が挙げられる。
【００２１】
また、ピレスロイド系殺虫剤の殺虫効力を増強する化合物（共力剤）としては、例えば、ピペロニルブトキサイド、オクタクロロジプロピルエーテル、Ｎ−（２−エチルヘキシル）−１−イソプロピル−４−メチルビシクロ〔２，２，２〕オクト−５−エン−２，３−ジカルボキシイミド、イソボルニルチオシアノアセテートおよびＮ−（２−エチニル）−ビシクロ〔２，２，１〕−ヘプタ−５−エン−２，３−ジカルボキシイミド等が挙げられる。
【００２２】
その他、殺虫剤としては、ヒノキ、スギ及びヒバの精油、メントール、キハダ類の抽出物、柑橘類の果皮及び種子からの抽出物、メトキサジアゾン、スタークル、シラフルオフェン、芳香族スルフォンアミド誘導体、水酸化トリシクロヘキシル錫、４，４’−ジブロムベンジル酸イソプロピル、２，３−ジヒドロ−２，２−ジメチル−７−ベンゾ〔ｂ〕フラニルニ−Ｎ−ジブチルアミノチオ−Ｎ−メチルカーバメイト、シラン化合物、ケイ皮酸誘導体、酢酸シンナミル、ブフロフェジン、イソプロチオラン、パラオキシ安息香酸エステル、ヨウ素化ホルマール、フェノール類、フタル酸エステル、３−ブロモ−２，３−ヨード−２−プロペニル−エチルカルボナート、モノテルペン系ケトン類、モノテルペン系アルデヒド類、モノテルペン系エポキサイド類、サリチル酸ベンジル、サリチル酸フェニル等が挙げられる。また、メトプレン等の昆虫幼若ホルモン剤、プレコセン等の抗幼若ホルモン剤、エクダイソン等の脱皮ホルモン剤等の、害虫のホルモン剤、あるいは抗ホルモン剤も挙げられる。
【００２３】
原液の殺虫剤の添加量としては、殺虫剤の種類により異なるが、原液に対して０.１〜４０．０ｗ／ｖ％（重量／容量％）が挙げられる。
【００２４】
原液の溶剤としては、脂肪族炭化水素類、芳香族炭化水素類、ハロゲン化炭化水素類、アルコール類、エーテル類、エステル類等が挙げられる。
【００２５】
脂肪族炭化水素類の溶剤としては、例えば、ヘキサン、ケロシン（灯油）、ｎ−ペンタン、ｉｓｏ−ペンタン、シクロペンタン等が挙げられる。
【００２６】
芳香族炭化水素類の溶剤としては、例えば、ベンゼン、トルエン、キシレン等が挙げられる。
【００２７】
ハロゲン化炭化水素類の溶剤としては、例えば、ジクロロメタン、四塩化炭素等が挙げられる。
【００２８】
アルコール類の溶剤としては、例えば、エタノール、イソプロピルアルコール、エチレングリコール、ブチルジグリコール等が挙げられる。
【００２９】
エーテル類の溶剤としては、例えば、アセトン、メチルエチルケトン、ジエチルエーテル等が挙げられる。
【００３０】
エステル類の溶剤としては、例えば、酢酸エチル、ミリスチン酸イソプロピル等が挙げられる。
【００３１】
その他、溶剤としては、アセトニトリル等のニトリル類、ジメチルホルムアミド等のアミド類、大豆油、綿実油等の植物油及び水等を使用することができる。また、上記した溶剤の複数を混合した混合溶剤を使用してもよい。そして、本発明に使用する溶剤としては、有機溶剤、例えば、アルコール類、芳香族炭化水素類、脂肪族炭化水素類が好ましく、炭素数１０〜１６個の脂肪族炭化水素類が特に好ましい。なお、溶剤の含有量は、上記した原液と噴射剤との容量比を満たす量であればよく、特には限定されない。
【００３２】
その他、原液の配合成分として、例えば、界面活性剤であるソルビタンモノオレート、ソルビタンモノラウレート、ポリオキシエチレンノニルフェニルエーテル、ポリオキシエチレン硬化ヒマシ油、デカグリセリンモノオレート等が挙げられる。
【００３３】
界面活性剤としては、主に溶剤に殺虫剤を乳化、分散もしくは可溶化するために使用することができるが、本発明の殺虫効果を高める場合もありうる。原液の界面活性剤の添加量としては、目的とする効果が得られる量を適宜加えればよく、殺虫剤と溶剤との親和性に影響されるが、例えば、原液中０.５〜１５.０ｗ／ｖ％程度を加えればよいが、これに限定されない。
【００３４】
エアゾール薬剤の噴射剤としては、例えば、液化石油ガス（ＬＰＧ）、プロパン、イソブタン、ｎ−ブタン、イソペンタン、ｎ−ペンタン、シクロペンタン、ジメチルエーテル（ＤＭＥ）、窒素ガス、液化炭酸ガス、塩素を含まないフロンガス（代替フロンと呼ばれているガス、例えばＨＦＣ−１２５、ＨＦＣ−１３４ａ、ＨＦＣ−１４３ａ、ＨＦＣ−１５２ａ、ＨＦＣ−３２等）、及びこれらの混合物等が挙げられる。なお、噴射剤の含有量は、上記した原液と噴射剤との容量比を満たす量であればよく、特には限定されない。
【００３５】
以下に、ハエ・蚊用、ゴキブリ用、不快害虫用の原液処方例を示す。
表１及び表２はハエ・蚊用の原液処方例、表３はゴキブリ用の原液処方例、表４は不快害虫用の原液処方例を示す。なお、不快害虫用の原液処方例（表４）において、ピペロニルブトキシドは、効力増強剤として、ラウリン酸メタクリルは、ピレトリン臭気のマスキング剤として使用している。
【００３６】
【表１】
2006325489.tif 000002
【００３７】
【表２】
2006325489.tif 000003
【００３８】
【表３】
2006325489.tif 000004
【００３９】
【表４】
2006325489.tif 000005
【００４０】
本発明の害虫防除方法が防除対象とする害虫としては、屋内外に生息する害虫および屋内塵性ダニ類など全般に亘る。屋内外に生息する害虫としては衛生害虫及び生活害虫等が挙げられる。衛生害虫としては、例えば、ゴキブリ類（チャバネゴキブリ、クロゴキブリ、ワモンゴキブリ等）、ハエ類（イエバエ、クロバエ、ニクバエ等）、カ類（イエカ、ヤブカ、シマカ等）、シラミ類、ノミ類等が挙げられる。生活害虫としては、シロアリ（羽アリ）、クロアリ、クモ、ハチ、ケムシ、ムカデ、ゲジゲジ、ヤスデ、シバンムシ、アリガタバチ、ユスリカ、チョウバエ、カメムシ、キクイムシ、ダンゴムシ、ワラジムシ、シミ、イガ、コイガ、カツオブシムシ及びヌカカ等が挙げられる。
【００４１】
屋内塵性ダニ類としては、室内で繁殖増殖するダニ類及び室内に迷入してくるダニ類等が挙げられる。例えば、コナヒョウヒダニ、ヤケヒョウヒダニ等のヒョウヒダニ類、ケナガコナダニ、ムギコナダニ等のコナダニ類、チリニクダニ、イエニクダニ等のニクダニ類、フトツメダニ、ミナミツメダニ等のツメダニ類、ホコリダニ類、ササラダニ類、イエダニ、トリサシダニ、ワクモ、マダニ類等の動物寄生性ダニ類等が挙げられる。
【００４２】
本発明の害虫防除方法は、飛翔性害虫はもちろんのこと、俊敏性の高い徘徊行動をとる害虫に対して特に有効である。
【００４３】
従って、本実施形態の害虫防除方法によれば、予め設定された定量を勢いよく噴霧できる機能を有するエアゾール製品のエアゾール薬剤の噴霧状態下で、害虫を防除するため、エアゾール薬剤の無駄を減らすことができると共に、害虫防除効率を向上することができる。
【００４４】
また、本発明の害虫防除方法によれば、予め設定された定量のエアゾール薬剤を勢いよく噴霧できるため、害虫にエアゾール薬剤を噴霧する際に手ぶれなどで狙いを外したり、害虫が狙いをつけた位置から逃げ始めたりした場合でも、害虫を追ったり、害虫の周囲を狙ったりしながらエアゾール薬剤を連続噴霧する必要がなく、適量のエアゾール薬剤で害虫を素早く防除することができる。これにより、エアゾール薬剤の無駄を減らすことができると共に、害虫防除効率を向上することができる。
【実施例】
【００４５】
以下に、本発明の害虫防除方法の作用効果を確認するために行った試験について説明する。
【００４６】
各試験で使用するエアゾール製品（試験検体）には、予め設定された一定量のエアゾール薬剤を勢いよく噴霧するための定量噴霧機能を有するエアゾール剤容器にエアゾール薬剤を充填した本発明例１及び本発明例２と、市販のエアゾール剤容器にエアゾール薬剤を充填した比較例１及び比較例２と、を使用する。
【００４７】
本発明例に使用するエアゾール剤容器には、定量室の容積５ｍｌ、ステム孔は口径３．５ｍｍ×２、アンダータップ径６．５ｍｍ、噴口径２．５ｍｍの定量噴霧機能を達成する定量バルブが備えられている。
【００４８】
以下に、各試験に使用する本発明例１、本発明例２、比較例１及び比較例２を説明する。
本発明例１：イミプロトリン０.４８ｗ／ｖ％を含む原液７０ｍｌと、噴射剤２３０ｍｌと、からなるエアゾール薬剤を、上記した定量噴霧機能を備えるエアゾール剤容器に充填したエアゾール製品。
本発明例２：フタルスリン０．４６５ｗ／ｖ％、レスメトリン０．０６２ｗ／ｖ％を含む原液６０ｍｌと、噴射剤２４０ｍｌと、からなるエアゾール薬剤を、上記した定量噴霧機能を備えるエアゾール剤容器に充填したエアゾール製品。
比較例１：本発明例１と同様のエアゾール薬剤を、噴霧量２５ｍｌ／１０秒の市販のエアゾール剤容器に充填したエアゾール製品。
比較例２：本発明例２と同様のエアゾール薬剤を、噴霧量２０ｍｌ／１０秒の市販のエアゾール剤容器に充填したエアゾール製品。
【００４９】
[付着率の測定試験]
本試験では、本発明例１と比較例１とを各１個ずつ用意し、それぞれを一定距離で濾紙に噴霧させて、その濾紙への付着率を測定する。
【００５０】
本試験は、次の（１）〜（５）の手順で行う。
（１）６０ｃｍ四方の濾紙の中心に向けて、試験検体をそれぞれ５０ｃｍ、１００ｃｍの距離から噴霧する。
（２）濾紙を９等分（２０ｃｍ四方）し、各濾紙を細断して１００ｍｌのサンプル瓶に入れる。
（３）サンプル瓶内に内部標準物質として２−ナフチルフェニルケトン（β−ナフチルフェニルケトン）を５ｍｌ入れ、ヘキサンを濾紙が完全に浸るまで入れる。
（４）超音波槽（卓上式超音波洗浄機ＵＴ−２０５（シャープ（株）製））内に１時間放置する。
（５）ガスクロマトグラフィー法にて、充填剤（ＳＰ−２３４０  Ｃｈｒｏｍｏｓｏｒｂ  ＷＡＷ  ＤＭＣＳ）を充填したカラムを用いて分析する。
試験結果を表５に示す。
【００５１】
【表５】
2006325489.tif 000006
【００５２】
表５から明らかなように、付着率の測定試験の結果、噴霧距離５０ｃｍにおいて、本発明例１の付着率が２１．２９％であるのに対して、比較例１の付着率は１５．０４％であることから、本発明例１の方が比較例１よりも付着率が６．２５％高いことがわかった。また、噴霧距離１００ｃｍにおいて、本発明例１の付着率が７．５７％であるのに対して、引用例１の付着率は測定不能であることから、本発明例１の方が、比較例１よりも付着率が非常に高いことがわかった。
【００５３】
[粒子径の測定試験]
本試験では、本発明例１、比較例１、本発明例２及び比較例２を各１個ずつ用意し、それぞれを一定距離で噴霧させて、その粒子径を測定する。
【００５４】
本試験は、次の（１）、（２）の手順で行う。
（１）試験検体を２５°Ｃの恒温水槽に１時間浸す。
（２）レーザー粒度分布測定装置ＬＤＳＡ−１４００Ａ（東日コンピュータアプリケーションズ（株）製）を用いて、５０ｃｍ及び１００ｃｍの位置における試験検体の粒子径を測定する。なお、測定方法は、オート・スタート平均（平均化回数３回、間隔０.６０ｍｓ）とする。
試験結果を表６及び表７に示す。
【００５５】
【表６】
2006325489.tif 000007
【００５６】
【表７】
2006325489.tif 000008
【００５７】
表６及び表７から明らかなように、粒子径の測定試験の結果、いずれの距離においても、本発明例１及び本発明例２の粒子径の方が、比較例１及び比較例２よりも大きいことがわかった。
【００５８】
[噴射力の測定試験]
本試験では、本発明例１、比較例１、本発明例２及び比較例２を各１個ずつ用意し、それぞれを一定距離で噴射させて、その噴射力を測定する。
【００５９】
本試験は、次の（１）〜（３）の手順で行う。
（１）試験検体を２５°Ｃの恒温水槽に１時間浸す。
（２）デジタルフォースゲージのセンサーの先端に５ｃｍ×５ｃｍのプラスチック板を固定する。
（３）プラスチック板から５ｃｍの距離より試験検体を噴射し、計測された数値を読み取る。なお、比較例１，２の噴射時間は、本発明例１，２に合わせて、それぞれ２．０秒、２．５秒とする。
試験結果を表８に示す。
【００６０】
【表８】
2006325489.tif 000009
【００６１】
表８から明らかなように、噴射力の測定試験の結果、本発明例１及び本発明例２の噴射力の方が、比較例１及び比較例２よりも大きいことがわかった。このことから、本発明例の方が、比較品よりも勢いよく噴霧されたことが明白である。
【００６２】
[クロゴキブリに対する効力試験]
本試験では、本発明例１及び比較例１を各１個ずつ用意し、それぞれをクロゴキブリに噴霧させて、その効力を確認する。
【００６３】
本試験は、次の（１）〜（３）の手順で行う。
（１）供試虫（クロゴキブリ）を入れたプラスチックカップを２個（カップ１，２）用意し、傾斜角４５°の台に、カップ１を試験検体の噴射線上に取り付け、カップ２をカップ１から１５ｃｍ平行に離れた位置に並べて取り付ける。
（２）カップ１から７０ｃｍの距離で、カップ１の中心に向けて試験検体を噴霧する。なお、比較例１の噴射時間は、本発明例１に合わせて、２．０秒間である。
（３）噴霧直後より１時間毎のノックダウン数を計測すると共に、２４時間及び４８時間後の致死率を計算する。なお、ノックダウン数とは、行動不能になった供試虫の数のことである。
試験結果を表９に示す。
【００６４】
【表９】
2006325489.tif 000010
【００６５】
表９から明らかなように、クロゴキブリに対する効力試験の結果、カップ１において、本発明例１の方が比較例１よりＫＴ５０及びＫＴ９０の秒数が小さいことから、本発明例１の方が比較例１よりも速効性があることがわかった。また、カップ２において、比較例１の供試虫が死亡していないのに対して、本発明例１の供試虫が死亡していることから、本発明例１の方が比較例１よりも害虫防除効果（致死効果）が高いことがわかった。なお、表中のＫＴ５０（９０）とは、プラスチックカップ内に入れた供試虫の５０（９０）％がノックダウンするまでにかかった時間（秒）である。
【００６６】
[イエバエに対する効力試験]
本試験では、本発明例２及び比較例２を各１個ずつ用意し、それぞれをイエバエに噴霧させて、その効力を確認する。
【００６７】
本試験は、次の（１）〜（３）の手順で行う。
（１）供試虫（イエバエ）を入れた金属ケージを２個（ケージ１，２）用意し、ケージ１を試験検体の噴射線上に吊るし、ケージ２をケージ１から１５ｃｍ平行に離れた位置に吊るす。
（２）ケージ１から１００ｃｍの距離で、ケージ１の中心に向けて試験検体を噴霧する。なお、比較例２の噴射時間は、本発明例２に合わせて、２．５秒間である。
（３）噴霧直後より１時間毎のノックダウン数を計測すると共に、２４時間及び４８時間後の致死率を計算する。
試験結果を表１０に示す。
【００６８】
【表１０】
2006325489.tif 000011
【００６９】
表１０から明らかなように、イエバエに対する効力試験の結果、カップ１及びカップ２のいずれの場合においても、本発明例２の方が比較例２よりＫＴ５０及びＫＴ９０の秒数が小さいことから、本発明例２の方が比較例２よりも速効性があり、害虫防除効果（致死効果）が高いことがわかった。